(57)【要約】【課題】キャップを外した状態で、筆記具本体を安定して机上に置くことができ、さらに、さらに、傾斜した机上でも筆記具本体が滑り落ちることを防止できるキャップ式の熱変色性筆記具を提供する。【解決手段】熱変色性筆記具１は、筆記具本体２と、筆記具本体２のペン先側外面に着脱自在に設けられるキャップ５と、を備える。筆記具本体２が、熱変色性インキを内蔵し且つ前端にペン先３１が設けられた軸筒３と、軸筒３の後端に設けられ、熱変色性インキの筆跡を摩擦しその際に生じる摩擦熱で該筆跡が熱変色可能な弾性材料よりなる摩擦体４と、を備える。摩擦体４の外面に径方向外方に突出する転がり防止用の凸部４１が一体に設けられる。【選択図】  図１
2020097208.tif 000002
【特許請求の範囲】
【請求項１】
筆記具本体と、前記筆記具本体のペン先側外面に着脱自在に設けられるキャップと、を備え、前記筆記具本体が、熱変色性インキを内蔵し且つ前端にペン先が設けられた軸筒と、前記軸筒の後端に設けられ、前記熱変色性インキの筆跡を摩擦しその際に生じる摩擦熱で該筆跡が熱変色可能な弾性材料よりなる摩擦体と、を備えた熱変色性筆記具であって、
前記摩擦体の外面に径方向外方に突出する転がり防止用の凸部が一体に設けられることを特徴とする熱変色性筆記具。
【請求項２】
前記キャップが前記筆記具本体の後端部に装着可能に構成され、前記キャップが前記筆記具本体の後端部に装着された状態において、前記キャップ内に前記凸部が位置される請求項１記載の熱変色性筆記具。
【請求項３】
前記筆記具本体の後端部に前記キャップが装着された状態において、前記キャップの内面が前記凸部より前方の前記軸筒の外面に嵌合され、前記キャップの内面が嵌合される前記軸筒の外面の嵌合部の外径が、前記凸部を含む摩擦体の外径より大きい請求項２記載の熱変色性筆記具。
【請求項４】
前記筆記具本体の後端部に前記キャップが装着された状態において、前記キャップの内面が前記摩擦体の外面に嵌合される請求項２記載の熱変色性筆記具。
【請求項５】
前記キャップが前記筆記具本体の後端部に装着可能に構成され、前記キャップが前記筆記具本体の後端部に装着された状態において、前記キャップの内面が前記摩擦体の外面に嵌合されるとともに、前記凸部の後面に前記キャップが前後方向に当接される請求項１記載の熱変色性筆記具。
【発明の詳細な説明】
【技術分野】
【０００１】
本発明は、熱変色性筆記具に関する。
【背景技術】
【０００２】
特許文献１には、熱変色性インキの筆跡を摩擦した際に生じる摩擦熱で前記筆跡が熱変色する弾性材料からなる摩擦体を軸筒後端に設けた熱変色性筆記具が開示されている。また、特許文献１には、軸筒のペン先側にキャップが嵌合可能なキャップ式形態の熱変色性筆記具が開示されている。
【先行技術文献】
【特許文献】
【０００３】
【特許文献１】特開２０１２−９１４７６号
【発明の概要】
【発明が解決しようとする課題】
【０００４】
前記特許文献１のキャップ式熱変色性筆記具は、キャップを外した筆記具本体を机上に置くと机上を転がりやすく、机上に安定して置くことができない。
【０００５】
本発明は前記従来の問題点を解決するものであって、キャップを外した状態で、筆記具本体を安定して机上に置くことができ、さらに、さらに、傾斜した机上でも筆記具本体が滑り落ちることを防止できるキャップ式の熱変色性筆記具を提供しようとするものである。
尚、本発明の軸筒において、「前」とはペン先側を指し、「後」とはその反対側を指す。
【課題を解決するための手段】
【０００６】
本願の第１の発明は、筆記具本体２と、前記筆記具本体２のペン先側外面に着脱自在に設けられるキャップ５と、を備え、前記筆記具本体２が、熱変色性インキを内蔵し且つ前端にペン先３１が設けられた軸筒３と、前記軸筒３の後端に設けられ、前記熱変色性インキの筆跡を摩擦しその際に生じる摩擦熱で該筆跡が熱変色可能な弾性材料よりなる摩擦体４と、を備えた熱変色性筆記具であって、前記摩擦体４の外面に径方向外方に突出する転がり防止用の凸部４１が一体に設けられることを要件とする。
【０００７】
前記第１の発明の熱変色性筆記具１は、前記弾性材料よりなる摩擦体４の外面に径方向外方に突出する転がり防止用の凸部４１が一体に設けられることにより、キャップ５を外した状態で、筆記具本体２を安定して机上に置くことができ、さらに、傾斜した机上でも筆記具本体２が滑り落ちることを防止できる。
【０００８】
本願の第２の発明は、前記第１の発明の熱変色性筆記具において、前記キャップ５が前記筆記具本体２の後端部に装着可能に構成され、前記キャップ５が前記筆記具本体２の後端部に装着された状態において、前記キャップ５内に前記凸部４１が位置されることを要件とする。
【０００９】
前記第２の発明の熱変色性筆記具１は、前記キャップ５が前記筆記具本体２の後端部に装着可能に構成され、前記キャップ５が前記筆記具本体２の後端部に装着された状態において、前記キャップ５内に前記凸部４１が位置されることにより、筆記使用時のキャップ５の紛失を回避でき、また、前記キャップ５が前記筆記具本体２の後端部に装着された状態において、筆記具全体の長手寸法が長くなることを抑止し、筆記使用時の筆記具の安定した把持が可能となる。
【００１０】
本願の第３の発明は、前記第２の発明の熱変色性筆記具において、前記筆記具本体２の後端部に前記キャップ５が装着された状態において、前記キャップ５の内面が前記凸部４１より前方の前記軸筒３の外面に嵌合され、前記キャップ５の内面が嵌合される前記軸筒３の外面の嵌合部２１の外径が、前記凸部４１を含む摩擦体４の外径より大きいことを要件とする。
【００１１】
前記第３の発明の熱変色性筆記具１は、前記筆記具本体２の後端部に前記キャップ５が装着された際、前記キャップ５の内面が前記凸部４１より前方の前記軸筒３の外面に嵌合され、前記キャップ５の内面が嵌合される前記軸筒３の外面の嵌合部２１の外径が、前記凸部４１を含む摩擦体４の外径より大きいことにより、キャップ５を筆記具本体２の後端部に装着する際、凸部４１にキャップ５開口端を当てることなく、キャップ５を筆記具本体２後端部に円滑に装着することができる。
【００１２】
本願の第４の発明は、前記第２の発明の熱変色性筆記具において、前記筆記具本体２の後端部に前記キャップ５が装着された状態において、前記キャップ５の内面が前記摩擦体４の外面に嵌合されることを要件とする。
【００１３】
前記第４の発明の熱変色性筆記具１は、前記筆記具本体２の後端部に前記キャップ５が装着された際、前記キャップ５の内面が前記摩擦体４の外面に嵌合されることにより、キャップ５内面と弾性材料からなる摩擦体４外面とが強固に嵌合され、筆記使用時、筆記具本体２からキャップ５が脱落することを抑止できる。
【００１４】
前記第５の発明は、前記第１の発明の熱変色性筆記具において、前記キャップ５が前記筆記具本体２の後端部に装着可能に構成され、前記キャップ５が前記筆記具本体２の後端部に装着された状態において、前記キャップ５の内面が前記摩擦体４の外面に嵌合されるとともに、前記凸部４１の後面に前記キャップ５が前後方向に当接されることを要件とする。
【００１５】
前記第５の発明の熱変色性筆記具１は、前記キャップ５が前記筆記具本体２の後端部に装着可能に構成され、前記キャップ５が前記筆記具本体２の後端部に装着された状態において、前記キャップ５の内面が前記摩擦体４の外面に嵌合されることにより、キャップ５内面と弾性材料からなる摩擦体４外面とが強固に嵌合され、筆記使用時、筆記具本体２からキャップ５が脱落することを抑止でき、さらに、前記凸部４１の後面に前記キャップ５（例えば、キャップ５内壁の当接壁部またはキャップ５開口端）が前後方向に当接されるため、摩擦体４がキャップ５内部に深く挿入されて摩擦体４外面がキャップ５内面により損傷することを回避できる。
【００１６】
・凸部
本発明（第１乃至第５の発明）において、前記凸部４１を含む摩擦体４の横断面形状は、非円形状である。前記凸部４１は、単一、または複数個（例えば、２個〜６個）が設けられる。前記凸部４１は、前記軸筒３の後端部外面より径方向外方に突出される構成が好ましい。
【００１７】
・摩擦体の材料
本発明（第１乃至第５の発明）において、前記摩擦体４は、例えば、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられ、特に、高摩耗性の弾性材料（例えば、消しゴム等）からなるものよりも、摩擦時に摩耗屑が生じない低摩耗性の弾性材料からなることが好ましい。
【００１８】
・軸筒及びキャップの材料
本発明（第１乃至第５の発明）において、前記軸筒３及び前記キャップ５を構成する材料は、例えば、ポリプロピレン、ポリエチレン、ポリカーボネート、ポリエチレンテレフタレート、ポリアセタール、アクリル、ナイロン、アクリルニトリル・スチレン共重合樹脂（ＡＳ樹脂）、アクリルニトリル・ブタジエン・スチレン共重合樹脂（ＡＢＳ樹脂）等の合成樹脂、またはステンレス鋼、アルミニウム合金、黄銅等の金属が挙げられる。
【００１９】
・熱変色性インキ
本発明（第１乃至第５の発明）における熱変色性インキは、熱変色性マイクロカプセル顔料を用いたものであり、（イ）電子供与性呈色性有機化合物、（ロ）電子受容性化合物、（ハ）前記両者の呈色反応の生起温度を決める反応媒体からなる可逆熱変色性組成物を内包させた可逆熱変色性マイクロカプセル顔料を含む水性インキ組成物が採用される。前記熱変色性インキは、加熱により消色するタイプ、または加熱により発色するタイプが挙げられる。さらに、前記可逆熱変色性マイクロカプセル顔料中、或いはインキ中には、非熱変色性の染料、顔料等の着色剤を配合して、有色（１）から有色（２）への互変的色変化を呈する構成とすることもできる。前記染料としては、酸性染料、塩基性染料、直接染料、蛍光染料が全て使用可能である。また、顔料としては、カーボンブラック、群青、二酸化チタン顔料等の無機顔料、アゾ系顔料、フタロシアニン系顔料、インジゴ顔料、チオインジゴ顔料、スレン顔料、キナクリドン系顔料、アントラキノン系顔料、スロン系顔料、ジケトピロロピロール系顔料、ジオキサジン系顔料、ペリレン系顔料、ペリノン系顔料、イソインドリノン系顔料等の有機顔料や蛍光顔料を例示できる。
【００２０】
・ペン先
本発明（第１乃至第５の発明）におけるペン先３１は、前端に回転可能にボールが抱持されたボールペンチップ、多孔質ペン体（例えば、繊維加工体、連続気泡発泡体）または軸方向のインキ誘導路を有する合成樹脂押出成形体よりなるペン体、または毛筆ペン先等が挙げられる。
【発明の効果】
【００２１】
本発明の熱変色性筆記具は、摩擦体の外面に径方向外方に突出する転がり防止用の凸部が一体に設けられることにより、キャップを外した状態で、筆記具本体を安定して机上に置くことができ、さらに、傾斜した机上でも筆記具本体が滑り落ちることを防止できる。
【図面の簡単な説明】
【００２２】
【図１】本発明の第１の実施の形態の一部縦断面図であり、筆記具本体のペン先側にキャップを装着した状態を示す。
【図２】図１の筆記具本体の後端部にキャップを装着した状態を示す。
【図３】本発明の第２の実施の形態の一部縦断面図であり、筆記具本体のペン先側にキャップを装着した状態を示す。
【図４】図３の筆記具本体の後端部にキャップを装着した状態を示す。
【図５】本発明の第３の実施の形態の一部縦断面図であり、筆記具本体のペン先側にキャップを装着した状態を示す一部縦断面図である。
【図６】図５の筆記具本体の後端部にキャップを装着した状態を示す。
【発明を実施するための形態】
【００２３】
＜第１の実施の形態＞
本発明の第１の実施の形態を図１及び図２に示す。
本実施の形態の熱変色性筆記具１は、筆記具本体２と、筆記具本体２のペン先側及び反ペン先側に装着可能なキャップ５とを備える。筆記具本体２は、内部に熱変色性インキが収容された軸筒３と、該軸筒３の前端に設けられたペン先３１と、軸筒３の後端に設けられた摩擦体４とを備える。ペン先３１から、軸筒３内部の熱変色性インキが吐出可能である。熱変色性インキは、摩擦体４による摩擦熱により有色から異なる有色（例えば黒色からピンク色）に変化するもの、または、有色（例えば黒色）から無色に変化するものが挙げられる。
【００２４】
・摩擦体
摩擦体４は軸筒３後端に圧入嵌合または２色成形により固定される。摩擦体４は、弾性材料よりなり、後端に向かうに従い外径が小さくなる先細円柱状の側面と、該側面より径方向外方に突出された１個または複数個の凸部４１と、凸曲面状の後端面とが一体に形成される。凸部４１は軸方向に延びる突条により形成される。
【００２５】
摩擦体４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。摩擦体４により、ペン先３１により紙面上に形成された熱変色性インキの筆跡を摩擦してその際の発生する摩擦熱で熱変色性インキの筆跡を熱変色させることができる。
【００２６】
・軸筒
軸筒３は円筒体であり、後端に向かうに従い外径が次第に小さくなる先細状に形成される。軸筒３の外面に沿って後方に延びる仮想延長線上より凸部４１が径方向外方に突出される。
キャップ５を筆記具本体２から外した状態において、筆記具本体２を平面状の机上に載置した際、摩擦体４の側面が凸部４１以外部分では机上に非接触状態となるが、摩擦体４の側面が凸部４１により机上に接触し、机上での筆記具本体２の転がりが防止される。
【００２７】
・キャップ
キャップ５は、一端が開口され且つ他端が閉鎖された有底筒状体からなる。キャップ５の外面にはクリップが一体または別部材の取り付けにより設けられる。キャップ５は合成樹脂または金属により形成される。
【００２８】
図２に示すように、キャップ５は筆記具本体２の後端部外面に装着可能である。キャップ５が筆記具本体２の後端部外面に装着された状態において、キャップ５の内面が軸筒３の後部外面に嵌合され、摩擦体４がキャップ５内部に位置される。キャップ５内面が嵌合される軸筒３外面の嵌合部２１の外径は、凸部４１を含む摩擦体４の最大外径（凸部４１の頂点に接する摩擦体４の外接円の直径の最大値）より大きく設定される。
【００２９】
本実施の形態の熱変色性筆記具１は、弾性材料よりなる摩擦体４の外面に径方向外方に突出する転がり防止用の凸部４１が一体に設けられることにより、キャップ５を外した状態で、筆記具本体２を安定して机上に置くことができ、さらに、傾斜した机上でも筆記具本体２が滑り落ちることを防止できる。また、本実施の形態の熱変色性筆記具１は、軸筒２の外面に転がり防止用の凸部を設けないため、軸筒２の外面に転写印刷等の加飾が容易となる。
【００３０】
本実施の形態の熱変色性筆記具１は、キャップ５が筆記具本体２の後端部に装着可能に構成され、キャップ５が筆記具本体２の後端部に装着された状態において、キャップ５内に凸部４１が位置されることにより、筆記使用時のキャップ５の紛失を回避でき、また、キャップ５が筆記具本体２の後端部に装着された状態において、筆記具全体の長手寸法が長くなることを抑止し、筆記使用時の筆記具の安定した把持が可能となる。
【００３１】
本実施の形態の熱変色性筆記具１は、筆記具本体２の後端部にキャップ５が装着された際、キャップ５の内面が凸部４１より前方の軸筒３の外面に嵌合され、キャップ５の内面が嵌合される軸筒３の外面の嵌合部２１の外径が、凸部４１を含む摩擦体４の外径より大きいことにより、キャップ５を筆記具本体２の後端部に装着する際、凸部４１にキャップ５開口端を当てることなく、キャップ５を筆記具本体２後端部に円滑に装着することができる。
【００３２】
＜第２の実施の形態＞
本発明の第２の実施の形態を図３及び図４に示す。
本実施の形態の熱変色性筆記具１は、筆記具本体２と、筆記具本体２のペン先側及び反ペン先側に装着可能なキャップ５とを備える。筆記具本体２は、内部に熱変色性インキが収容された軸筒３と、該軸筒３の前端に設けられたペン先３１と、軸筒３の後端に設けられた摩擦体４とを備える。ペン先３１から、軸筒３内部の熱変色性インキが吐出可能である。熱変色性インキは、摩擦体４による摩擦熱により有色から異なる有色（例えば黒色からピンク色）に変化するもの、または、有色（例えば青色）から無色に変化するものが挙げられる。
【００３３】
・摩擦体
摩擦体４は軸筒３後端に圧入嵌合または２色成形により固定される。摩擦体４は、弾性材料よりなり、後端に向かうに従い外径が小さくなる先細円柱状の側面と、該側面より径方向外方に突出された複数個（例えば４個）の凸部４１と、凸曲面状の後端面とが一体に形成される。凸部４１は、摩擦体４の側面の前端部の外周面に等間隔に形成される。凸部４１は軸方向に延びる突条により形成される。
【００３４】
摩擦体４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。摩擦体４により、ペン先３１により紙面上に形成された熱変色性インキの筆跡を摩擦してその際の発生する摩擦熱で熱変色性インキの筆跡を熱変色させることができる。
【００３５】
・軸筒
軸筒３は円筒体であり、後端に向かうに従い外径が次第に小さくなる先細状に形成される。軸筒３の外面に沿って後方に延びる仮想延長線上より凸部４１が径方向外方に突出される。
キャップ５を筆記具本体２から外した状態において、筆記具本体２を平面状の机上に載置した際、摩擦体４の側面が凸部４１により机上に接触し、机上での筆記具本体２の転がりが防止される。
【００３６】
・キャップ
キャップ５は、一端が開口され且つ他端が閉鎖された有底筒状体からなる。キャップ５の外面にはクリップが一体または別部材の取り付けにより設けられる。キャップ５は合成樹脂または金属により形成される。
【００３７】
図４に示すように、キャップ５は筆記具本体２の後端部外面に装着可能である。
キャップ５が筆記具本体２の後端部外面に装着された状態において、キャップ５の内面が摩擦体４の外面の嵌合部２１（即ち凸部４１の径方向外面）に嵌合されるとともに、凸部４１の後面にキャップ５内面の当接壁部５２（段部）が前後方向に当接される。キャップ５が筆記具本体２の後端部外面に装着された状態において、摩擦体４がキャップ５内部に位置される。
【００３８】
本実施の形態の熱変色性筆記具１は、弾性材料よりなる摩擦体４の外面に径方向外方に突出する転がり防止用の凸部４１が一体に設けられることにより、キャップ５を外した状態で、筆記具本体２を安定して机上に置くことができ、さらに、傾斜した机上でも筆記具本体２が滑り落ちることを防止できる。また、本実施の形態の熱変色性筆記具１は、軸筒２の外面に転がり防止用の凸部を設けないため、軸筒２の外面に転写印刷等の加飾が容易となる。
【００３９】
本実施の形態の熱変色性筆記具１は、キャップ５が筆記具本体２の後端部に装着可能に構成され、キャップ５が筆記具本体２の後端部に装着された状態において、キャップ５内に凸部４１が位置されることにより、筆記使用時のキャップ５の紛失を回避でき、また、キャップ５が筆記具本体２の後端部に装着された状態において、筆記具全体の長手寸法が長くなることを抑止し、筆記使用時の筆記具の安定した把持が可能となる。
【００４０】
本実施の形態の熱変色性筆記具１は、キャップ５が筆記具本体２の後端部に装着可能に構成され、キャップ５が筆記具本体２の後端部に装着された状態において、キャップ５の内面が摩擦体４の外面に嵌合されることにより、キャップ５内面と弾性材料からなる摩擦体４外面とが強固に嵌合され、筆記使用時、筆記具本体２からキャップ５が脱落することを抑止でき、さらに、凸部４１の後面にキャップ５（キャップ５内壁の当接壁部５２）が前後方向に当接されるため、摩擦体４がキャップ５内部に深く挿入されて摩擦体４外面がキャップ５内面により損傷することを回避できる。
【００４１】
＜第３の実施の形態＞
本発明の第３の実施の形態を図５及び図６に示す。
本実施の形態の熱変色性筆記具１は、筆記具本体２と、筆記具本体２のペン先側及び反ペン先側に装着可能なキャップ５とを備える。筆記具本体２は、内部に熱変色性インキが収容された軸筒３と、該軸筒３の前端に設けられたペン先３１と、軸筒３の後端に設けられた摩擦体４とを備える。ペン先３１から、軸筒３内部の熱変色性インキが吐出可能である。熱変色性インキは、摩擦体４による摩擦熱により有色から異なる有色（例えば黒色からピンク色）に変化するもの、または、有色（例えば赤色）から無色に変化するものが挙げられる。
【００４２】
・摩擦体
摩擦体４は軸筒３後端に圧入嵌合または２色成形により固定される。摩擦体４は、弾性材料よりなり、円柱状の第１の側面と、第１の側面４２より段部を介して前方に延設され且つ第１の側面４２より大きい外径を有する第２の側面４３と、該第２の側面４３より径方向外方に突出された１個または複数個の凸部４１と、凸曲面状の後端面とが一体に形成される。凸部４１より後方の第２の側面４３に、キャップ５内面が嵌合可能な嵌合部２１が形成される。キャップ５を筆記具本体２の後端部に装着した際、凸部４１の後面にキャップ５の開口端が当接される。凸部４は半球状に形成される。
【００４３】
摩擦体４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。摩擦体４により、ペン先３１により紙面上に形成された熱変色性インキの筆跡を摩擦してその際の発生する摩擦熱で熱変色性インキの筆跡を熱変色させることができる。
【００４４】
・軸筒
軸筒３は円筒体であり、後端に向かうに従い外径が次第に小さくなる先細状に形成される。軸筒３の外面に沿って後方に延びる仮想延長線上より凸部４１が径方向外方に突出される。
キャップ５を筆記具本体２から外した状態において、筆記具本体２を平面状の机上に載置した際、摩擦体４の側面が凸部４１により机上に接触し、机上での筆記具本体２の転がりが防止される。
【００４５】
・キャップ
キャップ５は、一端が開口され且つ他端が閉鎖された有底筒状体からなる。キャップ５の外面にはクリップが一体または別部材の取り付けにより設けられる。キャップ５は合成樹脂または金属により形成される。
【００４６】
図６に示すように、キャップ５は筆記具本体２の後端部外面に装着可能である。
キャップ５が筆記具本体２の後端部外面に装着された状態において、キャップ５の内面が摩擦体４の嵌合部２１（凸部４１の後方の外面）に嵌合されるとともに、凸部４１の後面にキャップ５の開口端が前後に当接される。キャップ５が筆記具本体２の後端部外面に装着された状態において、摩擦体４の後部がキャップ５内部に位置されるとともに摩擦体４の凸部４１がキャップ５の外部に露出される。それにより、凸部４１を含む摩擦体４の外径をキャップ５内径より大きく設定することができ、キャップ５を取り外した状態において、筆記具本体２が机上を転がることを確実に防止できる。
【００４７】
本実施の形態の熱変色性筆記具１は、弾性材料よりなる摩擦体４の外面に径方向外方に突出する転がり防止用の凸部４１が一体に設けられることにより、キャップ５を外した状態で、筆記具本体２を安定して机上に置くことができ、さらに、傾斜した机上でも筆記具本体２が滑り落ちることを防止できる。また、本実施の形態の熱変色性筆記具１は、軸筒２の外面に転がり防止用の凸部を設けないため、軸筒２の外面に転写印刷等の加飾が容易となる。
【００４８】
本実施の形態の熱変色性筆記具１は、キャップ５が筆記具本体２の後端部に装着可能に構成され、キャップ５が筆記具本体２の後端部に装着された状態において、キャップ５の内面が摩擦体４の外面に嵌合されることにより、キャップ５内面と弾性材料からなる摩擦体４外面とが強固に嵌合され、筆記使用時、筆記具本体２からキャップ５が脱落することを抑止でき、さらに、凸部４１の後面にキャップ５（キャップ５開口端）が前後方向に当接されるため、摩擦体４がキャップ５内部に深く挿入されて摩擦体４外面がキャップ５内面により損傷することを回避できる。
【符号の説明】
【００４９】
１  熱変色性筆記具
２  筆記具本体
２１  嵌合部
３  軸筒
３１  ペン先
４  摩擦体
４１  凸部
４２  第１の側面
４３  第２の側面
５  キャップ
５１  クリップ
５２  当接壁部
【図１】
2020097208.tif 000003
【図２】
2020097208.tif 000004
【図３】
2020097208.tif 000005
【図４】
2020097208.tif 000006
【図５】
2020097208.tif 000007
【図６】
2020097208.tif 000008